【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】  受信した情報を出力する端末であって、
他の装置と通信するための通信手段と、
前記通信手段に接続され、前記他の装置から情報を受信するための受信手段と、
前記受信手段により情報を受信したことを出力するための出力手段とを備え、
前記情報は、前記受信手段により受信した情報を出力するか否かを、前記端末が判断するための所定データを含み、
前記端末はさらに、
受信した情報を表示する必要性を表わす度合いを、前記受信した情報に含まれる前記所定データに基づいて判断するための判断手段と、
前記判断手段と前記出力手段とに接続され、前記度合いに基づいて、情報を受信したことを出力するように、前記出力手段を制御するための制御手段とを備える、端末。
【請求項２】  前記制御手段は、前記度合いが高いほど認知しやすく、前記情報を受信したことを出力するように、前記出力手段を制御するための手段を含む、請求項１に記載の端末。
【請求項３】  前記出力手段は、異なる知覚により検知される複数の手段を含み、
前記制御手段は、前記度合いが高いと、前記出力手段に含まれる１以上の手段を選択して、選択された手段を用いて、前記情報を受信したことを出力するように、前記出力手段を制御するための手段を含む、請求項１に記載の端末。
【請求項４】  前記所定データは、前記情報の内容に基づいて作成された重要度、前記端末の種類により定められた需要度および前記情報の作成時に設定された重要度のいずれかを表わすデータであって、
前記判断手段は、前記重要度が高いほど、前記度合いが高くなるように、判断するための手段を含む、請求項１に記載の端末。
【請求項５】  前記所定データは、前記情報に含まれるデータ量を表わすデータであって、
前記判断手段は、前記データ量が多いほど、前記度合いが高くなるように、判断するための手段を含む、請求項１に記載の端末。
【請求項６】  前記端末は、前記受信手段により受信した複数の情報を一度に表示するための表示手段をさらに備える、請求項１に記載の端末。
【請求項７】  受信した情報を出力する端末における情報出力方法であって、
他の装置から情報を受信する受信ステップと、
前記受信ステップにて情報を受信したことを出力する出力ステップとを備え、
前記情報は、前記受信ステップにて受信した情報を出力するか否かを、前記端末が判断するための所定データを含み、
前記情報出力方法はさらに、
受信した情報を表示する必要性を表わす度合いを、前記受信した情報に含まれる前記所定データに基づいて判断する判断ステップと、
前記度合いに基づいて、情報を受信したことを出力するように、前記出力ステップを制御する制御ステップとを備える、情報出力方法。
【請求項８】  前記制御ステップは、前記度合いが高いほど認知しやすく、前記情報を受信したことを出力するように、前記出力ステップを制御するステップを含む、請求項７に記載の情報出力方法。
【請求項９】  前記出力ステップは、異なる知覚により検知される複数のステップを含み、
前記制御ステップは、前記度合いが高いと、前記出力ステップに含まれる１以上のステップを選択して、選択されたステップを用いて、前記情報を受信したことを出力するように、前記出力ステップを制御するステップを含む、請求項７に記載の情報出力方法。
【請求項１０】  前記所定データは、前記情報の内容に基づいて作成された重要度、前記端末の種類により定められた需要度および前記情報の作成時に設定された重要度のいずれかを表わすデータであって、
前記判断ステップは、前記重要度が高いほど、前記度合いが高くなるように、判断するステップを含む、請求項７に記載の情報出力方法。
【請求項１１】  前記所定データは、前記情報に含まれるデータ量を表わすデータであって、
前記判断ステップは、前記データ量が多いほど、前記度合いが高くなるように、判断するステップを含む、請求項７に記載の情報出力方法。
【請求項１２】  前記情報出力方法は、前記受信ステップにて受信した複数の情報を一度に表示する表示ステップをさらに備える、請求項７に記載の情報出力方法。
【請求項１３】  情報を出力するためのプログラムであって、前記プログラムは、コンピュータに、
他の装置から情報を受信する受信手順と、
前記受信手順にて情報を受信したことを出力する出力手順とを実行させ、
前記情報は、前記受信手順にて受信した情報を出力するか否かを、前記コンピュータが判断するための所定データを含み、
前記プログラムはさらに前記コンピュータに、
受信した情報を表示する必要性を表わす度合いを、前記受信した情報に含まれる前記所定データに基づいて判断する判断手順と、
前記度合いに基づいて、情報を受信したことを出力するように、前記出力手順を制御する制御手順とを実行させる、プログラム。
【請求項１４】  前記制御手順は、前記度合いが高いほど認知しやすく、前記情報を受信したことを出力するように、前記出力手順を制御する手順を含む、請求項１３に記載のプログラム。
【請求項１５】  前記出力手順は、異なる知覚により検知される複数の手順を含み、
前記制御手順は、前記度合いが高いと、前記出力手順に含まれる１以上の手順を選択して、選択された手順を用いて、前記情報を受信したことを出力するように、前記出力手順を制御する手順を含む、請求項１３に記載のプログラム。
【請求項１６】  前記所定データは、前記情報の内容に基づいて作成された重要度、前記コンピュータの種類により定められた需要度および前記情報の作成時に設定された重要度のいずれかを表わすデータであって、
前記判断手順は、前記重要度が高いほど、前記度合いが高くなるように、判断する手順を含む、請求項１３に記載のプログラム。
【請求項１７】  前記所定データは、前記情報に含まれるデータ量を表わすデータであって、
前記判断手順は、前記データ量が多いほど、前記度合いが高くなるように、判断する手順を含む、請求項１３に記載のプログラム。
【請求項１８】  前記プログラムはさらに前記コンピュータに、前記受信手順にて受信した複数の情報を一度に表示する表示手順を実行させるプログラムを含む、請求項１３に記載のプログラム。
【手続補正２】
【補正対象書類名】明細書
【補正対象項目名】０００８
【補正方法】変更
【補正の内容】
【０００８】
【課題を解決するための手段】
この発明のある局面に従う端末は、他の装置と通信するための通信手段と、通信手段に接続され、他の装置から情報を受信するための受信手段と、受信手段により情報を受信したことを出力するための出力手段とを備える。情報は、受信手段により受信した情報を出力するか否かを、端末が判断するための所定データを含む。端末はさらに、受信した情報を表示する必要性を表わす度合いを、受信した情報に含まれる所定データに基づいて判断するための判断手段と、判断手段と出力手段とに接続され、度合いに基づいて、情報を受信したことを出力するように、出力手段を制御するための制御手段とを備える。
【手続補正３】
【補正対象書類名】明細書
【補正対象項目名】０００９
【補正方法】変更
【補正の内容】
【０００９】
発明によると、他の装置から受信した情報に含まれる、端末が受信した情報を出力するか否かを判断するための所定データに基づいて、判断手段が度合いを判断する。この度合いは、ユーザにとって、受信した情報を出力する必要性を表わす。たとえば、所定データとして重要性が高いというフラグが付加されたメールを受信すると、判断手段は、その度合いを高く判断する。制御手段は、たとえば、度合いが高いほどユーザが認知しやすいように、情報を受信したことを出力手段に出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を受信したことを出力する端末を提供することができる。
【手続補正４】
【補正対象書類名】明細書
【補正対象項目名】００１０
【補正方法】変更
【補正の内容】
【００１０】
好ましくは、制御手段は、度合いが高いほど認知しやすく、情報を受信したことを出力するように、出力手段を制御するための手段を含む。
【手続補正５】
【補正対象書類名】明細書
【補正対象項目名】００１１
【補正方法】変更
【補正の内容】
【００１１】
この発明によると、ユーザにとって表示させる必要性が高い情報ほど、ユーザが認知しやすく、その情報を受信したことが出力されて、ユーザはその情報の内容を早く確認できる。
【手続補正６】
【補正対象書類名】明細書
【補正対象項目名】００１２
【補正方法】変更
【補正の内容】
【００１２】
好ましくは、出力手段は、異なる知覚により検知される複数の手段を含む。制御手段は、度合いが高いと、出力手段に含まれる１以上の手段を選択して、選択された手段を用いて、情報を受信したことを出力するように、出力手段を制御するための手段を含む。
【手続補正７】
【補正対象書類名】明細書
【補正対象項目名】００１３
【補正方法】変更
【補正の内容】
【００１３】
この発明によると、度合いが高いと、複数の出力手段、たとえば、端末の発光部から光が発光してユーザの視覚により検知される手段、端末のスピーカから警告音が発生してユーザの聴覚により検知される手段、端末自体が振動してユーザの触覚により検知される手段の中から１以上の手段が選択されて、選択された手段により、情報を受信したことが出力される。これにより、度合いが高いほど、ユーザが認知しやすい手段、多くの種類の手段を用いて、情報を受信したことをユーザに確実に報知できる。
【手続補正８】
【補正対象書類名】明細書
【補正対象項目名】００１４
【補正方法】変更
【補正の内容】
【００１４】
好ましくは、所定データは、情報の内容に基づいて作成された重要度、端末の種類により定められた需要度および情報の作成時に設定された重要度のいずれかを表わすデータである。判断手段は、重要度が高いほど、度合いが高くなるように、判断するための手段を含む。
【手続補正９】
【補正対象書類名】明細書
【補正対象項目名】００１５
【補正方法】変更
【補正の内容】
【００１５】
この発明によると、たとえば、重要度は、メールの送信者自身が定めたり、端末の種類や送信される情報に対応するアプリケーションの種類により定められる。この重要度が高いと度合いが高く判断されて、ユーザにそのような情報を受信したことが報知できる。
【手続補正１０】
【補正対象書類名】明細書
【補正対象項目名】００１６
【補正方法】変更
【補正の内容】
【００１６】
好ましくは、所定データは、情報に含まれるデータ量を表わすデータである。判断手段は、情報量が多いほど、度合いが高くなるように、判断するための手段を含む。
【手続補正１１】
【補正対象書類名】明細書
【補正対象項目名】００１７
【補正方法】変更
【補正の内容】
【００１７】
この発明によると、情報に含まれるデータ量が多いと、様々な内容を含むため度合いが高く判断されて、ユーザにそのような情報を受信したことが報知できる。
【手続補正１２】
【補正対象書類名】明細書
【補正対象項目名】００１８
【補正方法】変更
【補正の内容】
【００１８】
好ましくは、受信手段により受信した複数の情報を一度に表示するための表示手段をさらに含む。
【手続補正１３】
【補正対象書類名】明細書
【補正対象項目名】００１９
【補正方法】変更
【補正の内容】
【００１９】
この発明によると、表示手段には、受信した複数の情報が一度に表示される。ユーザは、受信した情報の中から度合いの高い順に、内容を確認することができる。
【手続補正１４】
【補正対象書類名】明細書
【補正対象項目名】００２０
【補正方法】変更
【補正の内容】
【００２０】
この発明の他の局面に従う情報出力方法は、他の装置から情報を受信する受信ステップと、受信ステップにて情報を受信したことを出力する出力ステップとを含む。情報は、受信ステップにて受信した情報を出力するか否かを、端末が判断するための所定データを含む。情報出力方法はさらに、所定データに基づいて、受信した情報を表示する必要性を表わす度合いを判断する判断ステップと、度合いに基づいて、情報を受信したことを出力するように、出力ステップを制御する制御ステップとを含む。
【手続補正１５】
【補正対象書類名】明細書
【補正対象項目名】００２１
【補正方法】変更
【補正の内容】
【００２１】
この発明によると、他の装置から受信した情報に含まれる、端末が受信した情報を出力するか否かを判断するための所定データに基づいて、判断ステップにて度合いが判断される。この度合いは、受信した情報を出力する必要性を表わす。たとえば、所定データとして重要性が高いというフラグが付加されたメールを受信すると、判断ステップは、その度合いを高く判断する。制御ステップは、たとえば、度合いが高いほどユーザが認知しやすいように、情報を受信したことを出力ステップにて出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を受信したことを出力する情報出力方法を提供することができる。
【手続補正１６】
【補正対象書類名】明細書
【補正対象項目名】００２２
【補正方法】変更
【補正の内容】
【００２２】
好ましくは、制御ステップは、度合いが高いほど認知しやすく、情報を受信したことを出力するように、出力ステップを制御するステップを含む。
【手続補正１７】
【補正対象書類名】明細書
【補正対象項目名】００２３
【補正方法】変更
【補正の内容】
【００２３】
この発明によると、表示させる必要性が高い情報ほど、ユーザが認知しやすく、その情報を受信したことが出力されて、ユーザはその情報の内容を早く確認できる、情報出力方法を提供できる。
【手続補正１８】
【補正対象書類名】明細書
【補正対象項目名】００２４
【補正方法】変更
【補正の内容】
【００２４】
好ましくは、出力ステップは、異なる知覚により検知される複数のステップを含む。制御ステップは、度合いが高いと、出力ステップに含まれる１以上のステップを選択して、選択されたステップを用いて、情報を受信したことを出力するように、出力ステップを制御するステップを含む。
【手続補正１９】
【補正対象書類名】明細書
【補正対象項目名】００２５
【補正方法】変更
【補正の内容】
【００２５】
この発明によると、度合いが高いと、複数の出力ステップ、たとえば、端末の発光部から光が発光してユーザの視覚により検知されるステップ、端末のスピーカから警告音が発生してユーザの聴覚により検知されるステップ、端末自体が振動してユーザの触覚により検知されるステップの中から１以上のステップが選択されて、選択されたステップにより、情報を受信したことが出力される。これにより、度合いが高いほど、ユーザが認知しやすいステップ、多くの種類のステップを用いて、情報を受信したことをユーザに確実に報知できる。
【手続補正２０】
【補正対象書類名】明細書
【補正対象項目名】００２６
【補正方法】変更
【補正の内容】
【００２６】
好ましくは、所定データは、情報の内容に基づいて作成された重要度、端末の種類により定められた需要度および情報の作成時に設定された重要度のいすれかを表わすデータである。判断ステップは、重要度が高いほど、度合いが高くなるように、判断するステップを含む。
【手続補正２１】
【補正対象書類名】明細書
【補正対象項目名】００２７
【補正方法】変更
【補正の内容】
【００２７】
この発明によると、たとえば、重要度は、メールの送信者自身が定めたり、端末の種類や送信される情報に対応するアプリケーションの種類により定められる。この重要度が高いと度合いが高く判断されて、ユーザにそのような情報を受信したことが報知できる。
【手続補正２２】
【補正対象書類名】明細書
【補正対象項目名】００２８
【補正方法】変更
【補正の内容】
【００２８】
好ましくは、所定データは、情報に含まれるデータ量を表わすデータである。判断ステップは、データ量が多いほど、度合いが高くなるように、判断するステップを含む。
【手続補正２３】
【補正対象書類名】明細書
【補正対象項目名】００２９
【補正方法】変更
【補正の内容】
【００２９】
この発明によると、情報に含まれるデータ量が多いと、様々な内容を含むため度合いが高く判断されて、ユーザにそのような情報を受信したことが報知できる、情報出力方法を提供できる。
【手続補正２４】
【補正対象書類名】明細書
【補正対象項目名】００３０
【補正方法】変更
【補正の内容】
【００３０】
好ましくは、受信ステップにて受信した複数の情報を一度に表示する表示ステップをさらに含む。
【手続補正２５】
【補正対象書類名】明細書
【補正対象項目名】００３１
【補正方法】変更
【補正の内容】
【００３１】
この発明によると、表示ステップにて、受信した複数の情報が一度に表示される。ユーザは、受信した情報の中から度合いの高い順に、内容を確認することができる、情報出力方法を提供できる。
【手続補正２６】
【補正対象書類名】明細書
【補正対象項目名】００３２
【補正方法】変更
【補正の内容】
【００３２】
この発明のさらに他の局面に従うプログラムは、コンピュータに、他の装置から情報を受信する受信手順と、受信手順にて情報を受信したことを出力する出力手順とを実行させる。情報は、受信手順にて受信した情報を出力するか否かを、コンピュータが判断するための所定データを含む。プログラムはさらにコンピュータに、データに基づいて、受信した情報を表示する必要性を表わす度合いを判断する判断手順と、度合いに基づいて、情報を受信したことを出力するように、出力手順を制御する制御手順とを実行させる。
【手続補正２７】
【補正対象書類名】明細書
【補正対象項目名】００３３
【補正方法】変更
【補正の内容】
【００３３】
この発明によると、他の装置から受信した情報に含まれる、コンピュータが受信した情報を出力するか否かを判断するための所定データに基づいて、判断手順にて度合いが判断される。この度合いは、ユーザにとって、受信した情報を出力する必要性を表わす。たとえば、有益なデータとして重要性が高いというフラグが付加されたメールを受信すると、判断手順は、その度合いを高く判断する。制御手順は、たとえば、度合いが高いほどユーザが認知しやすいように、情報を受信したことを出力手順にて出力させる。これにより、ユーザにとって表示させる必要性が高い情報ほど、ユーザが認知しやすく、その情報を受信したことが出力される。その結果、他の装置から情報を受信した場合、ユーザが受信した内容を確認するか否かを判断しやすいように、情報を出力するためのプログラムを提供することができる。
【手続補正２８】
【補正対象書類名】明細書
【補正対象項目名】００３４
【補正方法】変更
【補正の内容】
【００３４】
好ましくは、制御手順は、度合いが高いほど認知しやすく、情報を受信したことを出力するように、出力手順を制御する手順を含む。
【手続補正２９】
【補正対象書類名】明細書
【補正対象項目名】００３５
【補正方法】変更
【補正の内容】
【００３５】
この発明によると、表示させる必要性が高い情報ほど、認知しやすく、その情報を受信したことが出力されて、ユーザはその情報の内容を早く確認できる、情報を出力するためのプログラムを提供できる。
【手続補正３０】
【補正対象書類名】明細書
【補正対象項目名】００３６
【補正方法】変更
【補正の内容】
【００３６】
好ましくは、出力手順は、異なる知覚により検知される複数の手順を含む。制御手順は、度合いが高いと、出力手順に含まれる１以上の手順を選択して、選択された手順を用いて、情報を受信したことを出力するように、出力手順を制御する手順を含む。
【手続補正３１】
【補正対象書類名】明細書
【補正対象項目名】００３７
【補正方法】変更
【補正の内容】
【００３７】
この発明によると、度合いが高いと、複数の出力手順、たとえば、コンピュータの発光部から光が発光してユーザの視覚により検知される手順、コンピュータのスピーカから警告音が発生してユーザの聴覚により検知される手順、コンピュータ自体が振動してユーザの触覚により検知される手順の中から１以上の手順が選択されて、選択された手順により、情報を受信したことが出力される。これにより、度合いが高いほど、ユーザが認知しやすい手順、多くの種類の手順を用いて、情報を受信したことをユーザに確実に報知できる。
【手続補正３２】
【補正対象書類名】明細書
【補正対象項目名】００３８
【補正方法】変更
【補正の内容】
【００３８】
好ましくは、所定データは、情報の内容に基づいて作成された重要度、コンピュータの種類により定められた需要度および情報の作成時に設定された重要度のいすれかを表わすデータである。判断手順は、重要度が高いほど、度合いが高くなるように、判断する手順を含む。
【手続補正３３】
【補正対象書類名】明細書
【補正対象項目名】００３９
【補正方法】変更
【補正の内容】
【００３９】
この発明によると、たとえば、重要度は、メールの送信者自身が定めたり、コンピュータの種類や送信される情報に対応するアプリケーションの種類により定められる。この重要度が高いと度合いが高く判断されて、ユーザにそのような情報を受信したことが報知できる。
【手続補正３４】
【補正対象書類名】明細書
【補正対象項目名】００４０
【補正方法】変更
【補正の内容】
【００４０】
好ましくは、所定データは、情報に含まれるデータ量を表わすデータである。判断手順は、データ量が多いほど、度合いが高くなるように、判断する手順を含む。
【手続補正３５】
【補正対象書類名】明細書
【補正対象項目名】００４１
【補正方法】変更
【補正の内容】
【００４１】
この発明によると、情報に含まれるデータ量が多いと、様々な内容を含むため度合いが高く判断されて、ユーザにそのような情報を受信したことが報知できる、情報を出力するためのプログラムを提供できる。
【手続補正３６】
【補正対象書類名】明細書
【補正対象項目名】００４２
【補正方法】変更
【補正の内容】
【００４２】
好ましくは、さらにコンピュータに、受信手順にて受信した複数の情報を一度に表示する表示手順を実行させる。
【手続補正３７】
【補正対象書類名】明細書
【補正対象項目名】００４３
【補正方法】変更
【補正の内容】
【００４３】
この発明によると、表示手順にて、受信した複数の情報が一度に表示される。ユーザは、受信した情報の中から度合いの高い順に、内容を確認することができる、情報を出力するためのプログラムを提供できる。